(57)【要約】  背中支持部材（５０）は、利用者の背中に沿うように設けられて当該背中を後側から支持するものであって、利用者の腰椎に沿うように設けられる腰椎サポート部（５１）と、腰椎サポート部（５１）の上部から左右に分岐し、肩甲骨に沿うように設けられる左右一対の肩甲骨サポート部（５２，５２）と、を備え、腰椎サポート部（５１）を通る上下軸周りの捻転に対して弾性変形可能である。
2021001972.tif 000002
【特許請求の範囲】
【請求項１】
利用者の背中に沿うように設けられて当該背中を後側から支持する背中支持部材であって、
前記利用者の腰椎に沿うように設けられる腰椎サポート部と、
前記腰椎サポート部の上部から左右に分岐し、肩甲骨に沿うように設けられる左右一対の肩甲骨サポート部と、
を備え、
前記腰椎サポート部を通る上下軸周りの捻転に対して弾性変形可能である
ことを特徴とする背中支持部材。
【請求項２】
前記腰椎サポート部の下端部から下方に延設されており、前記利用者の骨盤に沿うように横方向に延在して設けられる骨盤サポート部を備える
ことを特徴とする請求項１に記載の背中支持部材。
【請求項３】
弾性変形可能な成形部材によって形成されている
ことを特徴とする請求項１又は請求項２に記載の背中支持部材。
【請求項４】
請求項１から請求項３のいずれか一項に記載の背中支持部材と、
前記背中支持部材が取り付けられる後身頃部と、
前記利用者の胴体に巻回されることによって、前記背中支持部材の前記腰椎サポート部を前記利用者の背中に密着させる腹巻部と、
前記後身頃部と連結されており、前記利用者の踵に装着される足装着部と、
を備えることを特徴とするサポータースーツ。
【請求項５】
前記後身頃部及び前記足装着部と連結されており、前記利用者の膝に装着される膝装着部を備える
ことを特徴とする請求項４に記載のサポータースーツ。
【請求項６】
前記後身頃部の上端部及び前記腹巻部を前記利用者の前側で連結する第一の連結部と、
前記後身頃部の下端部及び前記膝装着部を前記利用者の後側で連結する第二の連結部と、
前記膝装着部及び前記足装着部を前記利用者の後側で連結する第三の連結部と、
を備えることを特徴とする請求項５に記載のサポータースーツ。
【請求項７】
前記第一の連結部、前記第二の連結部及び前記第三の連結部の少なくとも一つは、長さを変更可能である
ことを特徴とする請求項６に記載のサポータースーツ。
【請求項８】
前記腹巻部は、
前記利用者の骨盤周りに装着される第一の腹巻部と、
前記利用者の腰椎周りに装着される第二の腹巻部と、
を備えることを特徴とする請求項４から請求項７のいずれか一項に記載のサポータースーツ。
【請求項９】
前記腹巻部は、
前記第一の腹巻部の外側に設けられており、前記第一の腹巻部を引き締めるベルト部を備える
ことを特徴とする請求項８に記載のサポータースーツ。
【発明の詳細な説明】
【技術分野】
【０００１】
本発明は、背中支持部材及びサポータースーツに関する。
【背景技術】
【０００２】
特許文献１には、利用者の姿勢矯正及び前屈動作の動作支援を目的とするアシストスーツが記載されている。アシストスーツに設けられる背骨部材は、利用者の脊椎（腰椎及び胸椎）に沿って設けられており、利用者の肩甲骨を避けることによって、上半身の捻転動作を阻害せずに前屈動作を支援する。
【先行技術文献】
【特許文献】
【０００３】
【特許文献１】特許第６２７３３２３号公報
【発明の概要】
【発明が解決しようとする課題】
【０００４】
前記したように、特許文献１に記載のアシストスーツは、利用者の捻転動作を支援するものではない。これに対し、工場等で作業を行う利用者の疲労軽減、腰痛防止等といった観点から、利用者の捻転動作及び捻転からの戻り動作に対する支援が望まれている。【０００５】
本発明は、前記した事項に鑑みて創案されたものであり、利用者の捻転動作及び捻転からの戻り動作を好適に支援することが可能な背中支持部材及びサポータースーツを提供することを課題とする。
【課題を解決するための手段】
【０００６】
前記した課題を解決するため、本発明の背中支持部材は、利用者の背中に沿うように設けられて当該背中を後側から支持する背中支持部材であって、前記利用者の腰椎に沿うように設けられる腰椎サポート部と、前記腰椎サポート部の上部から左右に分岐し、肩甲骨に沿うように設けられる左右一対の肩甲骨サポート部と、を備え、前記腰椎サポート部を通る上下軸周りの捻転に対して弾性変形可能であることを特徴とする。【０００７】
また、本発明のサポータースーツは、前記背中支持部材と、前記背中支持部材が取り付けられる後身頃部と、前記利用者の胴体に巻回されることによって、前記背中支持部材の前記腰椎サポート部を前記利用者の背中に密着させる腹巻部と、前記後身頃部と連結されており、前記利用者の踵に装着される足装着部と、前記後身頃部の上端部及び前記腹巻部を前記利用者の前側で連結する第一の連結部と、前記後身頃部の下端部及び前記膝装着部を前記利用者の後側で連結する第二の連結部と、前記膝装着部及び前記足装着部を前記利用者の後側で連結する第三の連結部と、を備えることを特徴とする。
【発明の効果】
【０００８】
本発明によれば、利用者の捻転動作及び捻転からの戻り動作を好適に支援することができる。
【図面の簡単な説明】
【０００９】
【図１】本発明の実施形態に係るサポータースーツの装着状態を模式的に示す正面図である。
【図２】本発明の実施形態に係るサポータースーツの装着状態を模式的に示す背面図である。
【図３】サポータースーツ本体を模式的に示す正面図である。
【図４】サポータースーツ本体を模式的に示す背面図である。
【図５】腹巻部を模式的に示す正面図である。
【図６】腹巻部を模式的に示す背面図である。
【図７】膝装着部を模式的に示す背面図である。
【図８】下肢装着部を模式的に示す背面図である。
【図９】背中支持部材を模式的に示す斜視図である。
【図１０】背中支持部材と利用者との関係を模式的に示す背面図である。
【図１１】背中支持部材と利用者との関係を模式的に示す側面図である。
【発明を実施するための形態】
【００１０】
以下、本発明の実施形態について、同一の構成要素には同一の符号を付し、重複する説明を省略する。上下、前後、左右といった方向を示す用語は、サポータースーツを装着する利用者を基準とする。また、利用者による装着状態において、周囲から見える面を表面（表側）、利用者の体側となる面を裏面（裏側）とする。
【００１１】
図１及び図２に示すように、本発明の実施形態に係るサポータースーツ１は、サポータタースーツ本体１０と、腹巻部２０と、左右一対の膝装着部３０，３０と、左右一対の下肢装着部４０，４０と、背中支持部材５０と、を備える。
【００１２】
＜サポータースーツ本体＞
図３及び図４に示すように、サポータースーツ本体１０は、後身頃部１１と、左右一対の前身頃部１２，１２と、左右一対の大腿部１３，１３と、を一体に備える。
【００１３】
≪後身頃部≫
後身頃部１１は、サポータースーツ１の装着状態において、利用者の背中及び臀部に沿う部位である。後身頃部１１には、背中支持部材収容部１１ａと、腹巻部挿通部１１ｂと、が設けられている。
【００１４】
背中支持部材収容部１１ａは、後身頃部１１の前面（裏面）に形成されており、ファスナによって開閉可能な袋部である。背中支持部材収容部１１ａには、背中支持部材５０が収容される。
【００１５】
腹巻部挿通部１１ｂは、後身頃部１１の後面（表面）の下部に形成された、側面視で環状を呈する部位である。腹巻部挿通部１１ｂには、腹巻部２０が挿通される。腹巻部挿通部１１ｂにおける後身頃部１１の後面には、面ファスナが設けられている。
【００１６】
≪前身頃部≫
前身頃部１２は、後身頃部１１の上端部かつ左右両端部から延設されており、利用者の肩にかかって胸側へ延びる部位である。前身頃部１２には、ベルト部１２ａ，１２ｂ，１２ｃが設けられている。前身頃部１２は、ベルト部１２ａ及びベルト部２２ａとともに、後身頃部１１の上端部及び腹巻部２０を利用者の前側で連結する第一の連結部を構成する。
【００１７】
ベルト部１２ａは、前身頃部１２の表面から、サポータースーツ１の装着状態で下方に向かうように設けられている。ベルト部１２ｂは、一方の前身頃部１２のベルト部１２ａから、他方の前身頃部１２に向かうように設けられている。ベルト部１２ｃは、他方の前身頃部１２のベルト部１２ａから、一方の前身頃部１２に向かうように設けられている。ベルト部１２ａは、後記する腹巻部２０のベルト部２２ａと長さ変更可能に係止される。ベルト１２ｂ及びベルト１２ｃは、長さ変更可能に互いに係止される。
【００１８】
後身頃部１１及び前身頃部１２は、通気性及びクッション性を有し、利用者の背中の動きにフィットする素材によって形成されることが望ましく、例えば、ポリエステル系エラストマーを織り込んだクッション素材によって形成されている。
【００１９】
≪大腿部≫
大腿部１３は、後身頃部１１の下端部から延設されており、利用者の大腿の後側に沿って膝側へ延びる部位である。大腿部１３の下端部は、折り返した状態で面ファスナによって当該大腿部１３の高さ方向中間部に固定される。大腿部１３は、ベルト挿通部３１ｂとともに、後身頃部１１の下端部及び膝装着部３０を利用者の後側で連結する第二の連結部を構成する。大腿部１３には、ベルト部１３ａが設けられている。
【００２０】
ベルト部１３ａは、大腿部１３の上端部の表面から、上方に向かうように設けられている。ベルト部１３ａは、後記する腹巻部２０のベルト部２１ａと長さ変更可能に係止される。
【００２１】
大腿部１３は、後身頃部１１等の上半身のパーツを支持するアンカーとしての伸縮性及び固定力を有する素材によって形成されることが望ましく、例えば、クロロプレンゴム、パイル生地及びツーウェイトリコット生地を貼り合わせた３層構造の素材によって形成されている。
【００２２】
＜腹巻部＞
図１及び図２に示すように、腹巻部２０は、利用者の胴体（体幹）下部に装着される部材である。図５及び図６に示すように、腹巻部２０は、第一の腹巻部２１と、第二の腹巻部２２と、ベルト部２３と、を備える。
【００２３】
≪第一の腹巻部≫
第一の腹巻部２１は、利用者の骨盤周りに巻回される帯状の部位である。第一の腹巻部２１の両端部は、利用者の前側（臍下付近）で重ねられて面ファスナによって互いに固定される。第一の腹巻部２１には、左右一対のベルト部２１ａ，２１ａが設けられている。ベルト部２１ａは、第一の腹巻部２１の背中側表面から、下方に向かうように設けられている。
【００２４】
≪第二の腹巻部≫
第二の腹巻部２２は、第一の腹巻部２１の上側で利用者の腰椎周りに巻回される帯状の部位である。第二の腹巻部２２の両端部は、利用者の前側（臍付近）で重ねられて面ファスナによって互いに固定される。第二の腹巻部２２には、左右一対のベルト部２２ａ，２２ａが設けられている。ベルト部２２ａは、第二の腹巻部２２の腹側上端部から、上方に向かうように設けられている。
【００２５】
第一の腹巻部２１及び第二の腹巻部２２は、利用者の背中側において一体化されている。第一の腹巻部２１及び第二の腹巻部２２の背中側裏面には、面ファスナ部２０ａが設けられている。
【００２６】
≪ベルト部≫
ベルト部２３は、第一の腹巻部２１周りに巻回される。ベルト部２３は、伸縮性を有する素材によって形成されている。ベルト部２３の長手方向中間部は、第一の腹巻部２１の背中側表面の上端部に固定されている。ベルト部２３の長手方向両端部は、第一の腹巻部２１の腹側表面に対して面ファスナによって固定される。
【００２７】
かかる腹巻部２０の特に第一の腹巻部２１及び第二の腹巻部２２は、例えば、ナイロン及びポリウレタンを含む強力パワーネット素材によって形成されている。
【００２８】
＜膝装着部＞
図１及び図２に示すように、膝装着部３０は、利用者の膝に装着される部材である。図７に示すように、膝装着部３０は、膝裏部３１と、内上片部３２と、外上片部３３と、内下片部３４と、外下片部３５と、を一体に備える。
【００２９】
膝裏部３１は、利用者の膝裏に当てられる部位である。内上片部３２は、膝裏部３１における内端部の上部から横方向に延設されている。外上片部３３は、膝裏部３１における外端部の上部から横方向に延設されている。内下片部３４は、膝裏部３１における内端部の下部から横方向に延設されている。外下片部３５は、膝裏部３１における外端部の下部から横方向に延設されている。内上片部３２及び外上片部３３は、面ファスナによって互いに固定可能であり、内下片部３４及び外下片部３５は、面ファスナによって互いに固定可能である。
【００３０】
かかる膝装着部３０は、後身頃部１１等の上半身のパーツを支持するアンカーとしての伸縮性及び固定力を有する素材によって形成されることが望ましく、例えば、クロロプレンゴム、パイル生地及びツーウェイトリコット生地を貼り合わせた３層構造の素材によって形成されている。ただし、膝裏部３１の中央部３１ａは、伸縮性を有しない、通気性の良い素材によって形成されている。
【００３１】
膝裏部３１には、ベルト挿通部３１ｂ，３１ｃが設けられている。ベルト挿通部３１ｂは、膝裏部３１の上端部に設けられている。ベルト挿通部３１ｂには、サポータースーツ本体１０の大腿部１３が挿通可能である。ベルト挿通部３１ｃは、膝裏部３１の下端部に設けられている。ベルト挿通部３１ｃには、下肢装着部４０の下腿部４１が挿通可能である。
【００３２】
＜下肢装着部＞
図１及び図２に示すように、下肢装着部４０は、利用者の下腿に沿うとともに足に装着される部材である。図８に示すように、下肢装着部４０は、下腿部４１と、足首装着部４２と、踵装着部４３と、を一体に備える。
【００３３】
下腿部４１は、利用者の下腿の後側に沿う部位である。足首装着部４２は、下腿部４１の下端部から左右方向に延設されており、利用者の足首に巻回される部位である。踵装着部４３は、足首装着部４２とともに環状を構成し、利用者の踵に装着される部位である。踵装着部４３は、足首装着部４２とともに、利用者の踵に装着される足装着部を構成する。下腿部４１は、ベルト挿通部３１ｃとともに、膝装着部３０及び足装着部を利用者の後側で連結する第三の連結部を構成する。
【００３４】
かかる下肢装着部４０は、後身頃部１１等の上半身のパーツを支持するアンカーとしての伸縮性及び固定力を有する素材によって形成されることが望ましく、例えば、クロロプレンゴム、パイル生地及びツーウェイトリコット生地を貼り合わせた３層構造の素材によって形成されている。
【００３５】
＜背中支持部材＞
図２に示すように、背中支持部材５０は、利用者の背中に沿うように設けられて、背中を後側から支持する長板形状の部材である。背中支持部材５０は、弾性変形可能な成形部材によって形成されている。背中支持部材５０は、金属（例えば、鋼板材）、樹脂、ゴム等によって形成可能である。図９から図１１に示すように、背中支持部材５０は、腰椎サポート部５１と、左右一対の肩甲骨サポート部５２，５２と、骨盤サポート部５３と、を一体に備える。
【００３６】
≪腰椎サポート部≫
腰椎サポート部５１は、上下方向に延設されており、利用者の腰椎に沿うように設けられる部位である。腰椎サポート部５１は、人間の腰椎の生理的弯曲（前弯）に沿う形状を呈する。
【００３７】
≪肩甲骨サポート部≫
左右一対の肩甲骨サポート部５２，５２は、腰椎サポート部５１の上部（本実施形態では、上端部）から左右に分岐し、利用者の肩甲骨に宛がうように設けられる部位である。肩甲骨サポート部５２は、人間の脊椎の生理的弯曲（後弯）に沿う形状を呈する。肩甲骨サポート部５２は、腰椎サポート部５１の上端部から、上斜め前方に延設されている。肩甲骨サポート部５２は、腰椎サポート部５１の上端部から横斜め上方に延設される下部５２ａと、下部５２ａの先端部から略上方に延設される上部５２ｂと、を一体に備える。肩甲骨サポート部５２の左右の下部５２ａと腰椎サポート部５１の上端部との連結部は、利用者の左右の肩甲骨の下縁を結んだ位置に設けられる。肩甲骨サポート部５２の上部５２ｂは、２／３以上が利用者の背中の肩甲骨に対応する部位に当接することが望ましい。
【００３８】
≪骨盤サポート部≫
骨盤サポート部５３は、腰椎サポート部５１の下端部から下方に延設されており、利用者の骨盤に沿うように設けられる部位である。骨盤サポート部５３は、腰椎サポート部５１よりも幅広となるように横方向に延在しており、少なくとも骨盤の仙骨及び仙腸関節を後側から覆う。
【００３９】
背中支持部材５０は、前後傾及び上下軸周りの捻転に対して弾性変形可能な素材によって形成されており、例えば、ポリエチレンテレフタレート等の樹脂層によって形成されている。背中支持部材５０は、利用者の体格、体重等に応じて、前記樹脂層がガラス繊維等によって強化されていてもよく、前記樹脂層が複数積層されていてもよい。
【００４０】
背中支持部材５０の寸法及び形状は、利用者の身長及び各部位のサイズ測定（写真撮影等）、体重測定等の結果に基づいて設定可能である。また、背中支持部材５０の腰椎サポート部５１及び肩甲骨サポート部５２の上下方向寸法は、利用者の身長の略１／３であることが望ましい。また、腰椎サポート部５１の上下方向寸法と肩甲骨サポート部５２の上下方向寸法との比は、４：６であることが望ましい。背中支持部材５０は、共用化される場合には、一般的な人間の生理的弯曲よりも若干大きい弯曲を有することが望ましく、個人用である場合には、利用者の生理的弯曲よりも若干大きい弯曲を有することが望ましい。
【００４１】
背中支持部材５０は、利用者の背中の前後傾に応じて前後に屈曲可能であるとともに、利用者の背中の捻転に応じて、腰椎サポート部５１を通る上下軸周りに捻転可能である。背中支持部材５０の左右一対の肩甲骨サポート部５２の一方が捻転すると、左右一対の肩甲骨サポート５２の他方も同方向に捻転する。
【００４２】
＜サポータースーツの装着方法＞
続いて、本発明の実施形態に係るサポータースーツ１の装着方法について説明する。まず、利用者は、サポータースーツ本体１０、腹巻部２０、左右一対の膝装着部３０，３０及び左右一対の下肢装着部４０，４０を平置きし、これらを組み付ける。ここで、利用者は、背中支持部材５０をサポータースーツ本体１０の背中支持部材収容部１１ａに収容させる。また、利用者は、腹巻部２０をサポータースーツ本体１０の腹巻部挿通部１１ｂに挿通させる。ここで、利用者は、腹巻部２０の面ファスナ部２０ａを腹巻部挿通部１１ｂに設けられた面ファスナに対して固定することによって、腹巻部２０をサポータースーツ本体１０に対して位置決めする。また、利用者は、大腿部１３の下端部を膝装着部３０のベルト挿通部３１ｂに挿通させ、大腿部１３の高さ方向中間部に対して面ファスナによって固定する。また、利用者は、下肢装着部４０における下腿部４１の上端部を膝装着部３０のベルト挿通部３１ｃに挿通させ、下腿部４１の高さ方向中間部に対して面ファスナによって固定する。
【００４３】
続いて、利用者は、サポータースーツ１の左右一対の前身頃部１２，１２を両肩に掛け、前身頃部１２のベルト部１２ａと第二の腹巻部２２のベルト部２２ａとを緩く係止させる。
【００４４】
続いて、利用者は、足を踵装着部４３に通すことによって踵装着部４３を踵に装着させ、足首装着部４２を足首に巻回させて当該足首装着部４２の両端部を面ファスナによって固定する。
【００４５】
続いて、利用者は、第一の腹巻部２１を骨盤周りに巻回させて、当該第一の腹巻部２１の両端部を面ファスナによって固定する。第一の腹巻部２１は、背中支持部材５０の骨盤サポート部５３を利用者の臀部に密着させる。
【００４６】
続いて、利用者は、大腿部１３及び下腿部４１の長さを調整するとともに、大腿部１３のベルト部１３ａと第一の腹巻部２１のベルト部２１ａとを係止させる。ここで、ベルト１３ａ及びベルト２１ａの係止長は、股関節の屈曲からの戻りをアシストする張力を有するように設定される。続いて、利用者は、膝装着部３０の内上片部３２及び外上片部３３を膝上周りに巻回させてこれらを面ファスナによって互いに固定するとともに、膝装着部３０の内下片部３４及び外下片部３５を膝下周りに巻回させてこれらを面ファスナによって互いに固定する。すなわち、膝装着部３０は、利用者の膝頭を上下から挟み込むように装着される。
【００４７】
続いて、利用者は、第二の腹巻部２２を腰椎周りに巻回させて、当該第二の腹巻部２２の両端部を面ファスナによって固定する。第二の腹巻部２２は、背中支持部材５０の腰椎サポート部５１を利用者の背中に密着させる。
【００４８】
続いて、利用者は、腹巻部２０のベルト部２３を伸張させた状態で、当該ベルト部２３の両端部を第一の腹巻部２１の腹側表面に対して面ファスナによって固定する。ベルト部２３の両端部は、ベルト部２３の中間部よりも低い位置で第一の腹巻部２１に固定されることが望ましい。
【００４９】
続いて、利用者は、前身頃部１２のベルト部１２ａと第二の腹巻部２２のベルト部２２ａとを長さ調整して係止させる。続いて、利用者は、ベルト部１２ｂ，１２ｃを長さ調整して係止させる。
【００５０】
＜サポータースーツの使用例＞
サポータースーツ１は、背中支持部材５０によって、利用者の脊椎及び腰椎の生理的弯曲を支援し、背筋が伸びた姿勢をとらせることができる。また、サポータースーツ１は、ベルト部２３によって、利用者の骨盤の前傾を支援し、背筋が伸びた姿勢をとらせることができる。また、サポータースーツ１は、腹巻部２０によって、背中支持部材５０の腰椎サポート部５１及び骨盤サポート部５３を利用者の背中に密着させることができる。
【００５１】
また、サポータースーツ１は、後身頃部１１が踵装着部４３と連結されていることによって、利用者による体幹の捻転動作時においても、背中支持部材５０の腰椎サポート部５１及び骨盤サポート部５３を好適に支持することができる。特に、サポータースーツ１は、踵装着部４３が利用者の踵によって踏まれていることによって、腹巻部２０、背中支持部材５０等が上方にずれること（ずり上がり）を好適に防止することができる。また、サポータースーツ１は、踵装着部４３が利用者の踵によって踏まれていることによって、利用者による体幹の捻転動作時においても、体幹から離れていて捻転しない踵を支点として腹巻部２０、背中支持部材５０等を支持し、捻転動作に伴う膝固定部３０の回転方向のズレを防止することができる。
【００５２】
また、サポータースーツ１は、膝装着部３０によって、利用者が膝を曲げた状態においても、背中支持部材５０のずり上がりを防止し、踵装着部４３と協働して腰椎サポート部５１及び骨盤サポート部５３の支持機能を実現することができる。
【００５３】
利用者が上体を前傾させた場合には、背中支持部材５０は、利用者の背中の前屈に応じて弾性変形する。背中支持部材５０は、その復元力によって、利用者の背中が必要以上に曲がることを防止することができる。また、ベルト１３ａ及びベルト２１ａは、その張力によって、股関節の屈曲からの戻りをアシストすることができる。背中支持部材５０の復元力並びにベルト１３ａ及びベルト２１ａの張力は、利用者の前屈姿勢の維持にも貢献する。
【００５４】
また、利用者が上体を捻転させた場合（例えば、右肩を後方に回す場合）には、利用者は、背中支持部材５０における右側の肩甲骨サポート部５２を、右肩甲骨によって復元力を感じながら押すことによって、正しい姿勢で捻転を行うことができる。さらに、利用者は、左肩甲骨が左側の肩甲骨サポート部５２によって押されることによって、捻転をスムーズに行うことができる。一方、利用者が上体の捻転を戻す場合（例えば、右肩を元に戻す場合）には、利用者は、背中支持部材５０における左側の肩甲骨サポート部５２を、左肩甲骨によって押すことによって、正しい姿勢で捻転の戻り動作を行うことができる。さらに、利用者は、右肩甲骨が右側の肩甲骨サポート部５２の復元力によって押されることによって、捻転の戻り動作をスムーズに行い、姿勢をラクに戻すことができる。すなわち、背中支持部材５０及びサポータースーツ１は、利用者の捻転動作及び捻転からの戻り動作を好適に支援することができる。
【００５５】
また、利用者が物品を持って移動させる場合等、利用者が上体を捻転させつつ前傾させる場合（例えば、右肩を後方に回す場合）には、サポータースーツ１は、前方に出た左側の肩甲骨サポート部５２が対角に配置された右側の下肢装着部４０側に引っ張られることによって、利用者の左肩を好適に支持することができる。
【００５６】
本発明の実施形態に係る背中支持部材５０は、利用者の背中に沿うように設けられて当該背中を後側から支持する背中支持部材５０であって、前記利用者の腰椎に沿うように設けられる腰椎サポート部５１と、前記腰椎サポート部５１の上部から左右に分岐し、肩甲骨に沿うように設けられる左右一対の肩甲骨サポート部５２，５２と、を備え、前記腰椎サポート部５１を通る上下軸周りの捻転に対して弾性変形可能であることを特徴とする。
したがって、背中支持部材５０は、肩甲骨サポート部５２が利用者の肩甲骨に沿うように設けられているので、利用者の捻転動作及び捻転からの戻り動作を好適に支援することができる。
【００５７】
また、背中支持部材５０は、前記腰椎サポート部５１の下端部から下方に延設されており、前記利用者の骨盤に沿うように横方向に延在して設けられる骨盤サポート部５３を備えることを特徴とする。
したがって、背中支持部材５０は、骨盤サポート部５３を備えるので、骨盤を含む利用者の捻転動作及び捻転からの戻り動作を好適に支援することができる。
【００５８】
また、背中支持部材５０は、弾性変形可能な成形部材によって形成されていることを特徴とする。
したがって、背中支持部材５０は、金属、樹脂、ゴム等によって所望の形状をとることができる。また、背中支持部材５０は、特に樹脂によって形成されている場合には、金属によって形成されている場合と比較して、薄型化及び軽量化を実現するとともに、温度による利用者への不快感を抑制することができる。
【００５９】
また、本発明の実施形態に係るサポータースーツ１は、前記背中支持部材５０と、前記背中支持部材５０が取り付けられる後身頃部１１と、前記利用者の胴体に巻回されることによって、前記背中支持部材５０の前記腰椎サポート部５１を前記利用者の背中に密着させる腹巻部２０と、前記利用者の膝に装着される膝装着部３０と、前記後身頃部１１と連結されており、前記利用者の踵に装着される足装着部と、を備えることを特徴とする。
したがって、サポータースーツ１は、利用者の踵によって踏まれる足装着部を支点として背中支持部材５０を支持することによって背中支持部材５０のずり上がりを防止し、利用者の捻転動作及び捻転からの戻り動作を好適に支援することができる。
【００６０】
また、サポータースーツ１は、前記後身頃部１１及び前記足装着部と連結されており、前記利用者の膝に装着される膝装着部を備えることを特徴とする。
したがって、サポータースーツ１は、利用者が膝を曲げた状態においても背中支持部材５０のずり上がりを防止し、利用者の捻転動作及び捻転からの戻り動作を好適に支援することができる。
【００６１】
また、サポータースーツ１は、前記後身頃部１１の上端部及び前記腹巻部２０を前記利用者の前側で連結する第一の連結部と、前記後身頃部１１の下端部及び前記膝装着部３０を前記利用者の後側で連結する第二の連結部と、前記膝装着部３０及び前記足装着部を前記利用者の後側で連結する第三の連結部と、を備えることを特徴とする。
したがって、サポータースーツ１は、第一の連結部によって後身頃部１１及び腹巻部２０を利用者の上体に好適に密着させるとともに、第二の連結部及び第三の連結部によって利用者の膝の屈伸による影響を受けにくい位置で後身頃部１１、膝装着部３０及び足装着部を好適に連結することができる。
【００６２】
また、サポータースーツ１は、前記第一の連結部、前記第二の連結部及び前記第三の連結部の少なくとも一つが、長さを変更可能であることを特徴とする。
したがって、サポータースーツ１は、異なる体格の利用者に対してフィットし、動作を好適に支援することができる。
【００６３】
また、サポータースーツ１は、前記腹巻部２０が、前記利用者の骨盤周りに装着される第一の腹巻部２１と、前記利用者の腰椎周りに装着される第二の腹巻部２２と、を備えることを特徴とする。
したがって、サポータースーツ１は、利用者の骨盤及び腰椎周りの安定化を実現することができる。
【００６４】
また、サポータースーツ１は、前記腹巻部２０が、前記第一の腹巻部２１の外側に設けられており、前記第一の腹巻部２１を引き締めるベルト部２３を備えることを特徴とする。
したがって、サポータースーツ１は、利用者の骨盤周りのさらなる安定化を実現することができる。
【００６５】
以上、本発明の実施形態について説明したが、本発明は前記実施形態に限定されず、本発明の要旨を逸脱しない範囲で適宜変形可能である。例えば、背中支持部材５０は、骨盤サポート部５３が省略される構成であってもよい。また、背中支持部材５０は、腰椎サポート部５１の上端部から上方に延設されており、利用者の脊椎（の少なくとも一部）に沿うように設けられる脊椎サポート部を備える構成であってもよい。
【符号の説明】
【００６６】
１      サポータースーツ
１１    後身頃部
１２    前身頃部（第一の連結部）
１２ａ  ベルト部（第一の連結部）
１３    大腿部（第二の連結部）
２０    腹巻部
２１    第一の腹巻部
２２    第二の腹巻部
２２ａ  ベルト部（第一の連結部）
２３    ベルト部
３０    膝装着部
４１    下腿部（第三の連結部）
４２    足首装着部（足装着部）
４３    踵装着部（足装着部）
５０    背中支持部材
５１    腰椎サポート部
５２    肩甲骨サポート部
５３    骨盤サポート部
【図１】
2021001972.tif 000003
【図２】
2021001972.tif 000004
【図３】
2021001972.tif 000005
【図４】
2021001972.tif 000006
【図５】
2021001972.tif 000007
【図６】
2021001972.tif 000008
【図７】
2021001972.tif 000009
【図８】
2021001972.tif 000010
【図９】
2021001972.tif 000011
【図１０】
2021001972.tif 000012
【図１１】
2021001972.tif 000013
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
利用者の背中に沿うように設けられて当該背中を後側から支持する背中支持部材であって、
前記利用者の腰椎に沿うように設けられる腰椎サポート部と、
前記利用者の肩甲骨に沿うように設けられる左右一対の肩甲骨サポート部と、
を備え、
前記腰椎サポート部の上下軸周りの捻転に対して弾性変形可能である
ことを特徴とする背中支持部材。
【請求項２】
利用者の背中に沿うように設けられて当該背中を後側から支持する背中支持部材であって、
前記利用者の腰椎に沿うように設けられる腰椎サポート部と、
前記腰椎サポート部の上部から左右に分岐し、肩甲骨に沿うように設けられる左右一対の肩甲骨サポート部と、
を備え、
前記腰椎サポート部を通る上下軸周りの捻転に対して弾性変形可能である
ことを特徴とする背中支持部材。
【請求項３】
前記腰椎サポート部の下端部から下方に延設されており、前記利用者の骨盤に沿うように横方向に延在して設けられる骨盤サポート部を備える
ことを特徴とする請求項１又は請求項２に記載の背中支持部材。
【請求項４】
弾性変形可能な成形部材によって形成されている
ことを特徴とする請求項１から請求項３のいずれか一項に記載の背中支持部材。
【請求項５】
請求項１から請求項４のいずれか一項に記載の背中支持部材と、
前記背中支持部材が取り付けられる後身頃部と、
前記利用者の胴体に巻回されることによって、前記背中支持部材の前記腰椎サポート部を前記利用者の背中に密着させる腹巻部と、
前記後身頃部と連結されており、前記利用者の踵に装着される足装着部と、
を備えることを特徴とするサポータースーツ。
【請求項６】
前記後身頃部及び前記足装着部と連結されており、前記利用者の膝に装着される膝装着部を備える
ことを特徴とする請求項５に記載のサポータースーツ。
【請求項７】
前記後身頃部の上端部及び前記腹巻部を前記利用者の前側で連結する第一の連結部と、
前記後身頃部の下端部及び前記膝装着部を前記利用者の後側で連結する第二の連結部と、
前記膝装着部及び前記足装着部を前記利用者の後側で連結する第三の連結部と、
を備えることを特徴とする請求項６に記載のサポータースーツ。
【請求項８】
前記第一の連結部、前記第二の連結部及び前記第三の連結部の少なくとも一つは、長さを変更可能である
ことを特徴とする請求項７に記載のサポータースーツ。
【請求項９】
前記腹巻部は、
前記利用者の骨盤周りに装着される第一の腹巻部と、
前記利用者の腰椎周りに装着される第二の腹巻部と、
を備えることを特徴とする請求項５から請求項８のいずれか一項に記載のサポータースーツ。
【請求項１０】
前記腹巻部は、
前記第一の腹巻部の外側に設けられており、前記第一の腹巻部を引き締めるベルト部を備える
ことを特徴とする請求項９に記載のサポータースーツ。
【手続補正２】
【補正対象書類名】明細書
【補正対象項目名】０００６
【補正方法】変更
【補正の内容】
【０００６】
前記した課題を解決するため、本発明の背中支持部材は、利用者の背中に沿うように設けられて当該背中を後側から支持する背中支持部材であって、前記利用者の腰椎に沿うように設けられる腰椎サポート部と、前記利用者の肩甲骨に沿うように設けられる左右一対の肩甲骨サポート部と、を備え、前記腰椎サポート部の上下軸周りの捻転に対して弾性変形可能であることを特徴とする。
また、背中支持部材は、利用者の背中に沿うように設けられて当該背中を後側から支持する背中支持部材であって、前記利用者の腰椎に沿うように設けられる腰椎サポート部と、前記腰椎サポート部の上部から左右に分岐し、肩甲骨に沿うように設けられる左右一対の肩甲骨サポート部と、を備え、前記腰椎サポート部を通る上下軸周りの捻転に対して弾性変形可能であることを特徴とする。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
利用者の背中に沿うように設けられて当該背中を後側から支持する背中支持部材であって、
前記利用者の腰椎に沿うように設けられる腰椎サポート部と、
前記腰椎サポート部の上部から左右に分岐し、肩甲骨に沿うように設けられる左右一対の肩甲骨サポート部と、
を備え、
前記腰椎サポート部を通る上下軸周りの捻転に対して弾性変形可能であり、
左右一対の前記肩甲骨サポート部のうち後方に捻転した方が、対応する前記肩甲骨を復元力によって押す
ことを特徴とする背中支持部材。
【請求項２】
前記腰椎サポート部の下端部から下方に延設されており、前記利用者の骨盤に沿うように横方向に延在して設けられる骨盤サポート部を備える
ことを特徴とする請求項１に記載の背中支持部材。
【請求項３】
弾性変形可能な成形部材によって形成されている
ことを特徴とする請求項１又は請求項２に記載の背中支持部材。
【請求項４】
請求項１から請求項３のいずれか一項に記載の背中支持部材と、
前記背中支持部材が取り付けられる後身頃部と、
前記利用者の胴体に巻回されることによって、前記背中支持部材の前記腰椎サポート部を前記利用者の背中に密着させる腹巻部と、
前記後身頃部と連結されており、前記利用者の踵に装着される足装着部と、
を備えることを特徴とするサポータースーツ。
【請求項５】
前記後身頃部及び前記足装着部と連結されており、前記利用者の膝に装着される膝装着部を備える
ことを特徴とする請求項４に記載のサポータースーツ。
【請求項６】
前記後身頃部の上端部及び前記腹巻部を前記利用者の前側で連結する第一の連結部と、
前記後身頃部の下端部及び前記膝装着部を前記利用者の後側で連結する第二の連結部と、
前記膝装着部及び前記足装着部を前記利用者の後側で連結する第三の連結部と、
を備えることを特徴とする請求項５に記載のサポータースーツ。
【請求項７】
前記第一の連結部、前記第二の連結部及び前記第三の連結部の少なくとも一つは、長さを変更可能である
ことを特徴とする請求項６に記載のサポータースーツ。
【請求項８】
前記腹巻部は、
前記利用者の骨盤周りに装着される第一の腹巻部と、
前記利用者の腰椎周りに装着される第二の腹巻部と、
を備えることを特徴とする請求項４から請求項７のいずれか一項に記載のサポータースーツ。
【請求項９】
前記腹巻部は、
前記第一の腹巻部の外側に設けられており、前記第一の腹巻部を引き締めるベルト部を備える
ことを特徴とする請求項８に記載のサポータースーツ。
【手続補正２】
【補正対象書類名】明細書
【補正対象項目名】０００６
【補正方法】変更
【補正の内容】
【０００６】
前記した課題を解決するため、本発明の背中支持部材は、利用者の背中に沿うように設けられて当該背中を後側から支持する背中支持部材であって、前記利用者の腰椎に沿うように設けられる腰椎サポート部と、前記腰椎サポート部の上部から左右に分岐し、肩甲骨に沿うように設けられる左右一対の肩甲骨サポート部と、を備え、前記腰椎サポート部を通る上下軸周りの捻転に対して弾性変形可能であり、左右一対の前記肩甲骨サポート部のうち後方に捻転した方が、対応する前記肩甲骨を復元力によって押すことを特徴とする。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
利用者の腰椎に沿うように設けられる腰椎サポート部と、前記腰椎サポート部の上部から連続して左右に分岐し、肩甲骨に沿うように設けられる左右一対の肩甲骨サポート部と、を備え、弾性変形可能な成形部材によって一体に形成され、利用者の背中に沿うように設けられて当該背中を後側から支持する背中支持部材と、
前記背中支持部材が取り付けられる後身頃部と、
前記利用者の胴体に巻回されることによって、前記背中支持部材の前記腰椎サポート部を前記利用者の背中に密着させる腹巻部と、
前記後身頃部と連結されており、前記利用者の踵に装着される足装着部と、
を備え、
前記背中支持部材は、前記左右一対の肩甲骨サポート部の一方が前記利用者の一方の肩に押されて後方に捻転すると、前記左右一対の肩甲骨サポート部の他方が前記利用者の他方の肩を前方へ押すように捻転する
ことを特徴とするサポータースーツ。
【請求項２】
前記背中支持部材は、前記腰椎サポート部の下端部から下方に延設されており、前記利用者の骨盤に沿うように横方向に延在して設けられる骨盤サポート部を備える
ことを特徴とする請求項１に記載のサポータースーツ。
【請求項３】
前記後身頃部及び前記足装着部と連結されており、前記利用者の膝に装着される膝装着部を備える
ことを特徴とする請求項１又は請求項２に記載のサポータースーツ。
【請求項４】
前記後身頃部の上端部及び前記腹巻部を前記利用者の前側で連結する第一の連結部と、
前記後身頃部の下端部及び前記膝装着部を前記利用者の後側で連結する第二の連結部と、
前記膝装着部及び前記足装着部を前記利用者の後側で連結する第三の連結部と、
を備えることを特徴とする請求項３に記載のサポータースーツ。
【請求項５】
前記第一の連結部、前記第二の連結部及び前記第三の連結部の少なくとも一つは、長さを変更可能である
ことを特徴とする請求項４に記載のサポータースーツ。
【請求項６】
前記腹巻部は、
前記利用者の骨盤周りに装着される第一の腹巻部と、
前記利用者の腰椎周りに装着される第二の腹巻部と、
を備えることを特徴とする請求項１から請求項５のいずれか一項に記載のサポータースーツ。
【請求項７】
前記腹巻部は、
前記第一の腹巻部の外側に設けられており、前記第一の腹巻部を引き締めるベルト部を備える
ことを特徴とする請求項６に記載のサポータースーツ。
【手続補正３】
【補正対象書類名】明細書
【補正対象項目名】０００１
【補正方法】変更
【補正の内容】
【０００１】
本発明は、サポータースーツに関する。
【手続補正４】
【補正対象書類名】明細書
【補正対象項目名】０００５
【補正方法】変更
【補正の内容】
【０００５】
本発明は、前記した事項に鑑みて創案されたものであり、利用者の捻転動作及び捻転からの戻り動作を好適に支援することが可能なサポータースーツを提供することを課題とする。
【手続補正５】
【補正対象書類名】明細書
【補正対象項目名】０００６
【補正方法】変更
【補正の内容】
【０００６】
前記した課題を解決するため、本発明のサポータースーツは、前記利用者の腰椎に沿うように設けられる腰椎サポート部と、前記腰椎サポート部の上部から連続して左右に分岐し、肩甲骨に沿うように設けられる左右一対の肩甲骨サポート部と、を備え、弾性変形可能な成形部材によって一体に形成され、利用者の背中に沿うように設けられて当該背中を後側から支持する背中支持部材と、前記背中支持部材が取り付けられる後身頃部と、前記利用者の胴体に巻回されることによって、前記背中支持部材の前記腰椎サポート部を前記利用者の背中に密着させる腹巻部と、前記後身頃部と連結されており、前記利用者の踵に装着される足装着部と、を備え、前記背中支持部材は、前記左右一対の肩甲骨サポート部の一方が前記利用者の一方の肩に押されて後方に捻転すると、前記左右一対の肩甲骨サポート部の他方が前記利用者の他方の肩を前方へ押すように捻転することを特徴とする。
【手続補正６】
【補正対象書類名】明細書
【補正対象項目名】０００７
【補正方法】削除
【補正の内容】
【国際調査報告】
2021001972.tif 000014
2021001972.tif 000015
2021001972.tif 000016
2021001972.tif 000017